(57)【要約】【課題】簡易な構成によって、不飽和領域の地盤の所定の深さまでよりスムーズに水を浸透させて、不飽和領域の地盤の浸透特性を把握するためのデータを、効率良く得ることのできる原位置不飽和透水試験装置を提供する。【解決手段】不飽和領域の地盤の水分含水率に関するデータを取得する原位置不飽和透水試験装置であって、敷設密着材１７を介在させて地表面３０ａに外周部分を水密に密着させた状態で設置される、下面が開口面となった凸形状の密閉注水蓋１１と、この密閉注水蓋１１の中央部分から下方に延設して地中に挿入配置される、複数の水分センサー１２ａを備える土壌水分計１２と、密閉注水蓋１１の内部と送り管１３及び戻り管１４を介して連通して、密閉注水蓋１１の内部に圧力水を満たした状態で、給水タンク１６との間で圧力水を循環させながら圧力水を密閉注水蓋１１の内部に供給する、給水ポンプ１５とを含んで構成される。【選択図】図１
2016050388.tif 000002
【特許請求の範囲】
【請求項１】
測定対象となる不飽和領域の地盤の地表面に設置して用いられ、該地盤の浸透特性を把握するための土壌の水分含水率に関するデータを取得する原位置不飽和透水試験装置であって、
敷設密着材を介在させて前記地表面に外周部分を水密に密着させた状態で設置される、下面が開口面となった凸形状の密閉注水蓋と、該密閉注水蓋の中央部分から下方に延設して地中に挿入配置される、複数の水分センサーを備える土中水分計と、前記密閉注水蓋の内部と送り管及び戻り管を介して連通して、前記密閉注水蓋の内部に圧力水を満たした状態で、給水タンクとの間で圧力水を循環させながら圧力水を前記密閉注水蓋の内部に供給する、給水ポンプとを含んで構成される原位置不飽和透水試験装置。
【請求項２】
前記密閉注水蓋は、前記開口面の開口縁部から外側に張り出して設けられた、複数のアンカー孔が形成されたフランジプレートを一体として備えており、敷設された前記敷設密着材の上面に該フランジプレートを載置して、前記敷設密着材及び前記地盤に向けてアンカー部材を打ち込むことにより、前記密閉注水蓋が、外周部分を前記地表面に水密に密着させた状態で設置される請求項１記載の原位置不飽和透水試験装置。
【請求項３】
前記土中水分計は、前記密閉注水蓋の中央部分を水密な状態で貫通して地中に挿入される請求項１又は２記載の原位置不飽和透水試験装置。
【請求項４】
前記密閉注水蓋の前記送り管及び／又は前記戻り管との接続部分に、流量調整バルブが設けられており、該流量調整バルブによって圧力水の流量を調整することで、前記密閉注水蓋の内部に満たされた圧力水の圧力を調整できるようになっている請求項１〜３のいずれか１項記載の原位置不飽和透水試験装置。
【請求項５】
前記密閉注水蓋に、内部に満たされた圧力水の圧力を計測する圧力計が設けられている請求項１〜４のいずれか１項記載の原位置不飽和透水試験装置。
【請求項６】
前記密閉注水蓋は、水抜き管と接続している請求項１〜５のいずれか１項記載の原位置不飽和透水試験装置。
【発明の詳細な説明】
【技術分野】
【０００１】
本発明は、原位置不飽和透水試験装置に関し、特に測定対象となる不飽和領域の地盤の地表面に設置して用いられ、該地盤の浸透特性を把握するための土壌の水分含水率に関するデータを取得する原位置不飽和透水試験装置に関する。
【背景技術】
【０００２】
東日本大震災では、自然由来の重金属類を含んだ津波堆積物による土壌汚染が報告されている。今後は、降雨などにより津波堆積物から流出する重金属物質が、地下水汚染を引き起こすことが予想される。また、震災地で発生したガレキの集積場から、人工物の重金属が拡散することも考えられる。このような地下水汚染への対策を考える場合には、地下水の流れの他に、地表面から地中の地下水位に至るまでの、間隙水によって土粒子間の空隙が満たされていない状態の、不飽和領域の地盤における浸透流の流れを把握する必要がある。
【０００３】
また、不飽和領域の地盤における浸透流の流れを把握するための装置や方法として、種々の原位置透水試験装置や、原位置透水試験方法が提案されている（例えば、特許文献１、特許文献２参照）。また、不飽和領域の地盤の浸透特性を把握するための試験として、地盤内に鉛直一次元の非定常浸透流を発生させ、浸透領域内の圧力水頭分布と水分量分布（含水率分布）の経時変化をそれぞれ測定した結果から、対象領域の不飽和透水係数と水分特性曲線とを計測するインスタンティニアスプロファイリング法（以下、ＩＰ法とする）や、さらに、好ましくは地盤の深さ方向に体積含水率プロファイリングを多点でリアルタイムに計測することが可能な、市販の挿入型の土壌水分計を使用して計測された、地中の水分含水率の経時変化の計測データから、例えば VanGenuchten モデル（以下ＶＧモデルとする）のモデル式に基づいて算定された不飽和透水係数によって、不飽和領域の地盤の浸透特性を解析する方法も提案されている（例えば、非特許文献１参照））。
【先行技術文献】
【特許文献】
【０００４】
【特許文献１】特開２０００−３５２０４２号公報
【特許文献２】特開２００７−１９８０２７号公報
【非特許文献】
【０００５】
【非特許文献１】土と基礎、５４−５（５８０）、「不飽和地盤における原位置透水試験、水分分布計による不飽和透水係数の測定法」、２００６年５月  地盤工学会  発行
【発明の概要】
【発明が解決しようとする課題】
【０００６】
上記従来の不飽和領域の地盤における浸透流の流れを把握するための試験装置や方法によれば、いずれも、不飽和領域の地盤に浸透させる水を貯留する、筒体や注入管や浸透管における水位を一定にしたり、或いは圧搾空気を送り込んで貯留された水の水面を加圧したりすることで、静水圧や圧搾空気の圧力によって、貯留された水を不飽和領域の地盤に浸透水として浸透させるようになっている。
【０００７】
このため、従来の試験装置や方法によれば、地表面から数１０ｃｍ程度の深さまで水を浸透させることは容易であるが、例えば１ｍ程度の深さまで水を浸透させて不飽和領域の地盤の浸透特性を把握したい場合や、対象となる地盤が透水性の低い地盤である場合には、所定の深さまで水を浸透させるのに時間がかかり過ぎて、効率良く試験を行うことが困難になる。また、浸透させる水の圧力を変化させて試験をしたい場合や、例えば０．０１ＭＰａ〜０．１ＭＰａ程度の高い圧力で水を浸透させたい場合には、その調整が難しく、また大掛かりな設備を要することになる。
【０００８】
本発明は、簡易な構成によって、不飽和領域の地盤の所定の深さまでよりスムーズに水を浸透させて、不飽和領域の地盤の浸透特性を把握するためのデータを効率良く得ることができると共に、浸透させる水の圧力を容易に調整することを可能にし、且つ高い圧力で水を浸透させることのできる原位置不飽和透水試験装置を提供することを目的とする。
【課題を解決するための手段】
【０００９】
本発明は、測定対象となる不飽和領域の地盤の地表面に設置して用いられ、該地盤の浸透特性を把握するための土壌の水分含水率に関するデータを取得する原位置不飽和透水試験装置であって、敷設密着材を介在させて前記地表面に外周部分を水密に密着させた状態で設置される、下面が開口面となった凸形状の密閉注水蓋と、該密閉注水蓋の中央部分から下方に延設して地中に挿入配置される、複数の水分センサーを備える土中水分計と、前記密閉注水蓋の内部と送り管及び戻り管を介して連通して、前記密閉注水蓋の内部に圧力水を満たした状態で、給水タンクとの間で圧力水を循環させながら圧力水を前記密閉注水蓋の内部に供給する、給水ポンプとを含んで構成される原位置不飽和透水試験装置を提供することにより、上記目的を達成したものである。
【００１０】
そして、本発明の原位置不飽和透水試験装置は、前記密閉注水蓋が、前記開口面の開口縁部から外側に張り出して設けられた、複数のアンカー孔が形成されたフランジプレートを一体として備えており、敷設された前記敷設密着材の上面に該フランジプレートを載置して、前記敷設密着材及び前記地盤に向けてアンカー部材を打ち込むことにより、前記密閉注水蓋が、外周部分を前記地表面に水密に密着させた状態で設置されるようになっていることが好ましい。
【００１１】
また、本発明の原位置不飽和透水試験装置は、前記土中水分計が、前記密閉注水蓋の中央部分を水密な状態で貫通して地中に挿入されることが好ましい。
【００１２】
さらに、本発明の原位置不飽和透水試験装置は、前記密閉注水蓋の前記送り管及び／又は前記戻り管との接続部分に、流量調整バルブが設けられており、該流量調整バルブによって圧力水の流量を調整することで、前記密閉注水蓋の内部に満たされた圧力水の圧力を調整できるようになっていることが好ましい。
【００１３】
さらにまた、本発明の原位置不飽和透水試験装置は、前記密閉注水蓋に、内部に満たされた圧力水の圧力を計測する圧力計が設けられていることが好ましい。
【００１４】
また、本発明の原位置不飽和透水試験装置は、前記密閉注水蓋が、水抜き管と接続していることが好ましい。
【発明の効果】
【００１５】
本発明の原位置不飽和透水試験装置によれば、簡易な構成によって、不飽和領域の地盤の所定の深さまでよりスムーズに水を浸透させて、不飽和領域の地盤の浸透特性を把握するためのデータを効率良く得ることができると共に、浸透させる水の圧力を容易に調整することを可能にし、且つ高い圧力で水を浸透させることができる。
【図面の簡単な説明】
【００１６】
【図１】本発明の好ましい一実施形態に係る原位置不飽和透水試験装置の構成を説明する断面図である。
【発明を実施するための形態】
【００１７】
図１に示す本発明の好ましい一実施形態に係る原位置不飽和透水試験装置１０は、不飽和領域の地盤の浸透特性を把握するための試験方法として、例えばＶＧモデルによるモデル式を用いて不飽和透水係数を算定する試験方法において、測定対象となる不飽和領域の地盤３０の地表面３０ａから、浸透水を地中にスムーズに浸透させて、好ましくは地盤３０の深さ方向の体積含水率のプロファイリングを、容易に得られるようにするための装置として採用されたものである。また、本実施形態の原位置不飽和透水試験装置１０は、簡易な構成にもかかわらず、不飽和領域の地盤３０に浸透水を、圧力を変化させて浸透させたり、０．０１ＭＰａ〜０．１ＭＰａ程度の高い圧力で浸透させたりすることを可能にして、例えば１ｍ程度の深さまで、例えばＶＧモデルによって、さらに効率良く測定対象となる不飽和領域の地盤３０の浸透特性を把握できるようにする機能を備えている。
【００１８】
そして、本実施形態の原位置不飽和透水試験装置１０は、測定対象となる不飽和領域の地盤３０の地表面３０ａに設置して用いられ、該地盤３０の浸透特性を把握するための土壌の水分含水率（体積含水率）に関するデータを取得する試験装置であって、図１に示すように、敷設密着材１７を介在させて地表面３０ａに外周部分を水密に密着させた状態で設置される、下面が開口面となった凸形状の密閉注水蓋１１と、この密閉注水蓋１１の中央部分から下方に延設して地中に挿入配置される、複数の水分センサー１２ａを備える土中水分計１２と、密閉注水蓋１１の内部と送り管１３及び戻り管１４を介して連通して、密閉注水蓋１１の内部に圧力水を満たした状態で、給水タンク１６との間で圧力水を循環させながら圧力水を密閉注水蓋１１の内部に供給する、給水ポンプ１５とを含んで構成される。
【００１９】
また、本実施形態の原位置不飽和透水試験装置１０は、密閉注水蓋１１が、下面の開口面の開口縁部から外側に張り出して設けられた、複数のアンカー孔１１ｂが形成されたフランジプレート１１ａを一体として備えており、敷設された敷設密着材１７の上面にフランジプレート１１ａを載置して、敷設密着材１７及び地盤３０に向けてアンカー部材１９を打ち込むことにより、密閉注水蓋１１が、外周部分のフランジプレート１１ａを地表面３０ａに水密に密着させた状態で設置されている。
【００２０】
さらに、本実施形態の原位置不飽和透水試験装置１０は、密閉注水蓋１１の送り管１３及び／又は戻り管１４との接続部分（本実施形態では、戻り管１４との接続部分）に、流量調整バルブ２０が設けられており、この流量調整バルブ２０によって圧力水の流量を調整することで、密閉注水蓋１１の内部に満たされた圧力水の圧力を調整できるようになっている。
【００２１】
本実施形態では、原位置不飽和透水試験装置１０を構成する密閉注水蓋１１は、例えば５ｍｍ程度の厚さの金属プレートに、折曲げ加工や溶接加工等を施すことによって容易に形成することができる。密閉注水蓋１１は、例えば縦横３００ｍｍ程度の大きさの略正方形の上面プレート１１ｃの周縁に沿って、例えば３０ｍｍ程度の高さの帯板形状の周壁プレート１１ｄを接合することにより形成された、下面が開口面となった扁平な凸形状の蓋本体１１ｅと、蓋本体１１ｅの周壁プレート１１ｄの下端縁部から全周に亘って外側に張り出して一体として接合された、例えば１００ｍｍ程度の幅のフランジプレート１１ａとからなる。これらによって、密閉注水蓋１１は、全体として、例えば縦横５００ｍｍ程度の大きさの略正方形の平面形状を備えると共に、例えば３０ｍｍ程度の高さを有するように形成される。
【００２２】
また、本実施形態では、密閉注水蓋１１のフランジプレート１１ａに、例えばφ７ｍｍ程度の大きさの複数のアンカー孔１１ｂが貫通形成されている。アンカー孔１１ｂは、好ましくはフランジプレート１１ａの全面に、略均等に分散配置された状態で、多数形成されている。これらのアンカー孔１１ｂの数や配置位置等は、密閉注水蓋１１に充填される圧力水の圧力や、アンカー部材１９の長さや、地盤３０の土質等を鑑みて、適宜設計することができる。
【００２３】
本実施形態では、密閉注水蓋１１の上面プレート１１ｃに、土中水分計１２を水密な状態で貫通させるためのシール機能を有する、公知の貫通金具２１が取り付けられている。また、送り管１３及び戻り管１４や、後述する水抜き管２４を密閉注水蓋１１の内部と接続させるための、公知のジョイント金具２２ａ，２２ｂ，２２ｃが、公知の方法によって取り付けられている。
【００２４】
貫通金具２１は、例えば土中水分計１２のガイドチューブ１２ｃの外径と同様の内径を有し、内部にシール機構を備える円筒スリーブ部２１ａと、円筒スリーブ部２１ａの下端部から円環状に外側に張り出して設けられた、接合フランジ部２１ｂとからなる。貫通金具２１は、接合フランジ部２１ｂを、上面プレート１１ｃの中央部分に貫通形成された、内径が例えば２７ｍｍ程度の円形のロッド挿通孔１１ｆの開口周縁部に一体として接合して、円筒スリーブ部２１ａを上面プレート１１ｂから立設させた状態で、密閉注水蓋１１に取り付けられている。測定対象となる地盤３０の地表面３０ａに密閉注水蓋１１を設置する際に、これに先立って地中に土壌水分計１２のガイドチューブ１２ｃを埋設することで、地表面３０ａから立設するガイドチューブ１２ｃの上端部分が、円筒スリーブ部２１ａに下方から挿通される。土壌水分計１２は、ガイドチューブ１２ｃに挿入されることで、密閉注水蓋１１の中央部分を水密な状態で貫通して地中に挿入されると共に、その上端部分を、上面プレート１１ｃから上方に突出させて設置されることになる。
【００２５】
本実施形態では、例えば送り管１３を密閉注水蓋１１の内部と接続させるジョイント金具２２ａに、公知の小型圧力計２３が取り付けられている。小型圧力計２３によって、密閉注水蓋１１の内部に満たされた圧力水の圧力を計測して、圧力水の圧力を容易に管理できるようになっている。
【００２６】
また、好ましくは戻り管１４を密閉注水蓋１１の内部と接続させるジョイント金具２２ｂに、流量調整バルブ２０が取り付けられている。流量調整バルブ２０は、圧力水の流路の断面積を調整して、当該流量調整バルブ２０を通過する圧力水の流量を制御することが可能な、公知の機構を備えるバルブ部材を用いることができる。流量調整バルブ２０によって、密閉注水蓋１１の内部から戻り管１４を介して給水タンク１６に戻される圧力水の流量を制御することで、給水ポンプ１５から送り管１３を介して圧送されて、密閉注水蓋１１の内部に満たされる圧力水の圧力を、例えば０．００１ＭＰａ〜０．１ＭＰａ程度の範囲で容易に調整できるようになっている。
【００２７】
なお、本実施形態では、送り管１３を接続させるジョイント金具２２ａや、水抜き管２３を接続させるジョイント金具２２ｃにも、流量調整バルブや開閉バルブを適宜設けることができる。また、本実施形態では、ジョイント金具２２ｃを介して密閉注水蓋１１の内部と接続させて、水抜き管２４が設けられている。水抜き管２４は、補助スタンド２５に支持させて、その先端を、地表面３０ａよりも相当程度高い位置に配置して設けられている。水抜き管２４は、バルブ２２ｃを開放することによって、密閉注水蓋１１の内部の圧力水を大気に開放することで、安全弁として機能して、想定外に圧力水の圧力が高くなった場合に、密閉注水蓋１１の内部を緊急的に減圧することができる。
【００２８】
本実施形態では、密閉注水蓋１１の内部を給水タンク１６や給水ポンプ１５と連通させて、これらの間で圧力水を循環させる送り管１３及び戻り管１４や、水抜き管２４は、例えばφ１０ｍｍ程度の太さの、可撓性を有する公知の各種の耐圧ホースを用いることができる。給水ポンプ１５は、例えば最大０．２ＭＰａ程度の圧力の圧力水を供給することが可能な、公知の各種の給水ポンプを用いることができる。給水タンク１６は、例えばポリエチレン製のタンク等の、例えば２０Ｌ程度の容量を備える、公知の簡易な給水タンクを用いることができる。給水タンクには、水を適宜補給することができるので、水分センサー１２ａの深さまで水を浸透させるのに必要な水量を、容易に給水することができる。戻り管１４の給水タンク１６との接続部分には、密閉注水蓋１１から戻される圧力水に含まれる土粒子等を除去するための、フィルター２６が設けられている。
【００２９】
本実施形態では、土壌水分計１２として、地盤の深さ方向に体積含水率プロファイリングを多点でリアルタイムに計測することが可能な、市販されている公知の各種の挿入型の土壌水分計を使用することができる。より具体的には、例えば Delta-T社製の、「プロファイルプロープＰR2/6」を好ましく用いることができる。「プロファイルプロープＰR2/6」を用いることで、地表面から１０ｃｍ、２０ｃｍ、３０ｃｍ、４０ｃｍ、６０ｃｍ、１００ｃｍの深度の体積含水率を測定することが可能になる。
【００３０】
また、本実施形態では、土壌水分計１２は、例えば１３５０ｍｍ程度の長さを有する、φ２５ｍｍ程度の太さのポリカーボネート製のロッド部１２ｂの下部に、複数の水分センサー１２ａを、所定の間隔をおいて取り付けることによって形成されている。土壌水分計１２は、測定対象となる地盤３０の地表面３０ａに、密閉注水蓋１１を設置するのに先立って、専用のオーガーを用いて、例えばφ２５ｍｍ程度の内径の測定孔を地盤３０の所定の深さまで鉛直方向に形成した後に、複数の水分センサー１２ａが取り付けられたロッド部１２ｂの下部を、ガイドチューブ１２ｃで保護した状態で、形成した測定孔に挿入することで、ロッド部１２ｂの上端部分を地表面３０ａから立設させた状態で、地盤３０に設置することができる。しかる後に、密閉注水蓋１１の設置作業が行われる。
【００３１】
測定対象となる地盤３０の地表面３０ａに、密閉注水蓋１１を設置するには、まず、設置された土壌水分計１２の、地表面３０ａから立設するロッド部１２ｂやガイドチューブ１２ｃの上端部分を中心として、これの周囲の地表面３０ａを整地すると共に、ロッド部１２ｂやガイドチューブ１２ｃと離間した、これの周囲の密閉注水蓋１１のフランジプレート１１ａが配設される位置に、フランジプレート１１ａと同様の幅で、敷設密着材１７を、略正方形の環状に連続させて敷設する。ここで、敷設密着材１７としては、ベントナイト、水膨張性材等の、軟らかい状態から固化することで、地表面３０ａの凹凸やフランジプレート１１ａの下面の凹凸を吸収して、当該敷設密着材１７を介してこれらを互いに密着させることが可能な、公知の種々の敷設密着材１７を用いることができる。また、敷設密着材１７は、地表面３０ａやフランジプレート１１ａの下面との間に遮水シートを介在させた状態で敷設されることにより、設置された密閉注水蓋１１の周囲の水密性を、強固に保持することが可能になる。さらに、敷設密着材１７の直下の地表部分の地盤３０に、好ましくは公知の地表面固化剤を浸透させることで固化層３０ｂを形成することにより、密閉注水蓋１１の内部の圧力水の圧力を上げた際に、地表面３０ｂに水みちが形成されるのを、より効果的防止することが可能になる。地表面固化剤として、例えば不二サッシ社製の、「フライネットＲ」を好ましく用いることができる。
【００３２】
ロッド部１２ｂの周囲の密閉注水蓋１１のフランジプレート１１ａが配設される位置に、敷設密着材１７を敷設したら、敷設密着材１７がまだ固まらないうちに、上述のように、密閉注水蓋１１のロッド挿通孔１１ｆや、貫通金具２１の円筒スリーブ部２１ａに、地表面３０ａから立設するロッド部１２ｂの上端部分を挿通しながら、フランジプレート１１ａを敷設された敷設密着材１７の上面に載置して、密閉注水蓋１１を、測定対象となる地盤３０の地表面３０ａに設置する。しかる後に、フランジプレート１１ａに形成された複数のアンカー孔１１ｂを介して、敷設密着材１７及び地盤３０に向けて複数のアンカー部材１９を打ち込む。そして、密閉注水蓋１１の内部に水を満たした段階で、水が敷設された敷設密着材１７に滲み出るので、敷設密着材１７が固化することで、密閉注水蓋１１を、外周部分を地表面３０ａに水密に密着させた状態で設置することが可能になる。
【００３３】
測定対象となる地盤３０の地表面３０ａに密閉注水蓋１１を設置したら、設置された密閉注水蓋１１に、送り管１３及び戻り管１４や水抜き管２４を接続する共に、密閉注水蓋１１の内部と、給水ポンプ１５や給水タンク１６との間で圧力水を循環させて、密閉注水蓋１１の内部に圧力水を満たすことで、満たされた圧力水を、測定対象となる地盤３０の地中に、浸透水として浸透させることが可能な状態となる。また、土壌水分計１２、小型圧力計２３、給水ポンプ１５等を、配線類を介して、データロガーやパーソナルコンピュータを備えるデータ処理部（図示せず）と接続することで、計測された各種の測定データを処理することが可能な状態となる。
【００３４】
そして、上述の構成を備える本実施形態の原位置不飽和透水試験装置１０によれば、簡易な構成によって、不飽和領域の地盤３０の所定の深さまでよりスムーズに水を浸透させて、不飽和領域の地盤の３０の浸透特性を把握するためのデータを効率良く得ることが可能になると共に、浸透させる水の圧力を容易に調整することが可能になり、且つ高い圧力で水を浸透させることが可能になる。
【００３５】
すなわち、本実施形態の原位置不飽和透水試験装置１０は、敷設密着材１７を介在させて地表面３０ａに外周部分を水密に密着させた状態で設置される、下面が開口面となった凸形状の密閉注水蓋１１と、この密閉注水蓋１１の中央部分から下方に延設して地中に挿入配置される、複数の水分センサー１２ａを備える土壌水分計１２と、密閉注水蓋１１の内部と送り管１３及び戻り管１４を介して連通して、密閉注水蓋１１の内部に圧力水を満たした状態で、給水タンク１６との間で圧力水を循環させながら圧力水を密閉注水蓋１１の内部に供給する、給水ポンプ１５とを含んで構成されている。
【００３６】
したがって、本実施形態の原位置不飽和透水試験装置１０によれば、コンパクトな形状の密閉注水蓋１１や、汎用されている給水タンク１６や給水ポンプ１５を用いて、簡易に形成できると共に、上述のような簡易な施工方法によって、測定対象となる地盤３０の地表面３０ａに、容易に設置して用いることが可能になる。また、密閉注水蓋１１の内部に圧力水を満たした状態で、給水タンク１６との間で圧力水を循環させながら圧力水を密閉注水蓋１１の内部に供給して、満たされた圧力水を浸透水として地盤に浸透させるようになっているので、例えば給水ポンプ１５によって圧力水の供給圧力を調整したり、流量調整バルブ２０によって循環する圧力水の流量を調整することにより、浸透させる水の圧力を容易に調整することが可能になる。さらに、例えば給水ポンプ１５による圧力水の供給圧力を大きくしたり、流量調整バルブ２０を絞ったりすることによって、密閉注水蓋１１の内部に満たされる圧力水の圧力を、例えば０．０１ＭＰａ〜０．１ＭＰａ程度の高い圧力に、容易に保持することが可能になる。
【００３７】
これらによって、本実施形態によれば、例えば１ｍ程度の深さまで水を浸透させて不飽和領域の地盤３０の浸透特性を把握したい場合や、対象となる地盤３０が透水性の低い地盤である場合でも、簡易な構成によって、圧力水を高い圧力に保持することで、浸透水を不飽和領域の地盤３０の所定の深さまでよりスムーズに浸透させて、浸透特性を把握するためのデータを、効率良く得ることが可能になる。
【００３８】
なお、本発明は上記実施形態に限定されることなく種々の変更が可能である。例えば、密閉注水蓋は、略正方形の平面形状を備えている必要は必ずしも無く、略矩形や略円形等の、その他の種々の平面形状備えていても良い。密閉注水蓋は、フランジプレートを介して地表面に水密に密着している必要は必ずしも無く、例えば密閉注水蓋の外周部分を地中に埋め込む方法等の、その他の手段によって、敷設密着材を介在させて地表面に密閉注水蓋の外周部分を水密に密着させることもできる。
【符号の説明】
【００３９】
１０  原位置不飽和透水試験装置
１１  密閉注水蓋
１１ａ  フランジプレート
１１ｂ  アンカー孔
１１ｃ  上面プレート
１１ｄ  周壁プレート
１１ｅ  蓋本体
１１ｆ  ロッド挿通孔
１２  土壌水分計
１２ａ  水分センサー
１２ｂ  ロッド部
１２ｃ  ガイドチューブ
１３  送り管
１４  戻り管
１５  給水ポンプ
１６  給水タンク
１７  敷設密着材
１９  アンカー部材
２０  流量調整バルブ
２１  貫通金具
２１ａ  円筒スリーブ部
２１ｂ  接合フランジ部
２２ａ，２２ｂ，２２ｃ  ジャイント金具
２３  小型圧力計
２４  水抜き管
２５  補助スタンド
２６  フィルター
３０  測定対象となる不飽和領域の地盤
３０ａ  地表面
３０ｂ  固化層
【図１】
2016050388.tif 000003